(57)【特許請求の範囲】
【請求項１】
画像形成装置と前記画像形成装置と通信することのできる情報処理装置を備える画像形成システムにおいて、
前記画像形成装置は、
前記画像形成装置の設定を行うための第１の項目と第２の項目を少なくとも有する第１の画面を表示して、前記第１の項目及び前記第２の項目の設定のための入力を受け付ける第１の表示入力部を備え、
前記情報処理装置は、
前記第１の表示入力部において、前記第１の項目と前記第２の項目の内、前記第１の項目の設定が既に行われていた場合、前記第２の項目を有する第２の画面において、前記第１の項目の設定が既に行われたことがわかるようにするとともに、且つ前記第１の項目を選択できないようにするとともに、前記第２の項目を示して、前記第２の項目の設定のための入力を受け付ける第２の表示入力部を備えること
を特徴とする画像形成システム。
【請求項２】
前記第１の画面は、前記第１の項目と前記第２の項目から設定を行う項目を選択できるようにされていること
を特徴とする請求項１に記載の画像形成システム。
【請求項３】
前記第１の表示入力部において前記第１の項目の設定が既に行われていた場合、
前記第２の画面には、前記第１の項目は、表示されないこと
を特徴とする請求項１又は２に記載の画像形成システム。
【請求項４】
前記第１の表示入力部において前記第１の項目の設定が既に行われていた場合、
前記第２の画面には、前記第１の項目と前記第２の項目を表示する第３の画面の表示指示を入力する領域が設けられていること
を特徴とする請求項１から３の何れか一項に記載の画像形成システム。
【請求項５】
前記第３の画面には、前記第１の項目は、既に設定が行われたことがわかるように表示されていること
を特徴とする請求項４に記載の画像形成システム。
【請求項６】
前記第１の項目と前記第２の項目は、初期設定のための項目であること
を特徴とする請求項１から５のいずれか一項に記載の画像形成システム。
【請求項７】
画像形成装置と前記画像形成装置と通信することのできる情報処理装置を備える画像形成システムにおいて、
前記画像形成装置は、
前記画像形成装置に設定を行う予め定められた複数の項目から、設定を行う項目を選択するための第１の選択画面を表示して、当該第１の選択画面で選択された項目の設定を受け付ける第１の表示入力部と、
前記複数の項目の内、既に設定が行われた項目を特定することのできる設定情報を記憶する記憶部と、
前記設定情報に基づいて、前記既に設定が行われた項目を特定することのできる通信情報を生成する制御部と、
前記通信情報を前記情報処理装置に送信する送信部と、を備え、
前記情報処理装置は、
前記複数の項目の内、前記既に設定が行われた項目以外の項目から、設定を行う項目を選択するための第２の選択画面を表示して、当該第２の選択画面で選択された項目の設定を受け付け、前記既に設定が行われた項目を選択できないように前記第２の選択画面を表示する第２の表示入力部と、
前記通信情報を受信する受信部と、
前記通信情報に基づいて前記第２の選択画面を前記第２の表示入力部に表示させる制御部と、を備えること
を特徴とする画像形成システム。
【請求項８】
前記既に設定が行われた項目は、前記第１の表示入力部で設定が行われた項目であること
を特徴とする請求項７に記載の画像形成システム。
【請求項９】
前記第１の選択画面は、前記複数の項目の全てから設定を行う項目を選択できるようにされていること
を特徴とする請求項７又は８に記載の画像形成システム。
【請求項１０】
前記第２の選択画面には、前記既に設定が行われた項目は、表示されないこと
を特徴とする請求項７から９の何れか一項に記載の画像形成システム。
【請求項１１】
前記第２の選択画面には、前記複数の項目の全てから設定を行う項目を選択するための第３の選択画面の表示指示を入力する領域が設けられていること
を特徴とする請求項７から１０の何れか一項に記載の画像形成システム。
【請求項１２】
前記第３の選択画面には、前記既に設定が行われた項目は、既に設定が行われたことがわかるように表示されていること
を特徴とする請求項１１に記載の画像形成システム。
【請求項１３】
前記複数の項目は、初期設定のための項目であること
を特徴とする請求項７から１２のいずれか一項に記載の画像形成システム。
【請求項１４】
画像形成装置の設定を行うための第１の項目と第２の項目の内、
前記画像形成装置の第１の入力部において前記第１の項目の設定が既に行われていた場合、前記第２の項目を有する表示画面において、前記第１の項目の設定が既に行われていることがわかるようにするとともに、且つ前記第１の項目を選択できないようにするとともに、前記第２の項目を示す表示部と、
前記第２の項目の設定のための入力を受け付ける第２の入力部と、を備えること
を特徴とする情報処理装置。
【請求項１５】
前記第１の項目と前記第２の項目は、初期設定のための項目であること
を特徴とする請求項１４に記載の情報処理装置。
【請求項１６】
画像形成装置に設定を行うための第１の項目と第２の項目を少なくとも有する第１の画面を表示する過程と、
前記画像形成装置において、前記第１の画面で選択された項目の設定のための入力を受け付ける過程と、
前記第１の項目と前記第２の項目の内、前記第１の項目の設定が既に行われていた場合、前記第２の項目を有する第２の画面において、前記第１の項目の設定が既に行われたことがわかるようにするとともに、且つ前記第１の項目を選択できないようにするとともに、前記第２の項目を示す過程と、
前記第２の画面で、前記第２の項目の設定のための入力を受け付ける過程と、を有すること
を特徴とする設定方法。
【請求項１７】
前記第１の項目と前記第２の項目は、初期設定のための項目であること
を特徴とする請求項１６に記載の設定方法。
【発明の詳細な説明】
【技術分野】
【０００１】
本発明は、画像形成装置に設定を行う画像形成システム、情報処理装置及び設定方法に関する。
【背景技術】
【０００２】
近年、画像処理装置に対する入力手段を複数提供する画像処理システムが普及している。例えば、画像処理装置に内蔵している操作パネルに加え、外付けの拡張パネルを提供したり、ホストＰＣ上で動作する装置設定ツールを提供したりするシステムがある。
そして、特許文献１には、複数の入力手段から画像処理装置を同時に操作することで生じる誤動作を防ぐために、複数の入力手段からの操作指示に優先度を設定することができる画像処理システムが開示されている。
【先行技術文献】
【特許文献】
【０００３】
【特許文献１】特開２００５−３１３４１３号公報
【発明の概要】
【発明が解決しようとする課題】
【０００４】
画像処理装置を利用可能な状態にするためには、画像処理装置に対して、言語設定、時刻設定等、各種の初期設定が必要である。画像処理装置に対する入力手段を複数提供する画像形成システムにおいて、画像処理装置の初期設定を行う場合、ある入力手段で設定済みの設定項目が、別の入力手段から上書きされてしまう可能性がある。利用者が意図的に上書きするのであれば良いが、既に設定済みであることを知らずに、意図せずに上書きしてしまうという問題があった。
【０００５】
特許文献１に記載の画像処理システムでは、複数の入力手段からの操作指示に優先度を設定することで、所定の機能に関する項目は、特定の入力手段でしか操作することができなくなる。言い換えると、特許文献１に記載の画像処理システムでは、所定の機能に関する項目に関しては、特定の入力手段だけでしか操作することができなくなるため、意図せずに上書きされてしまうことを防ぐことができる。
しかしながら、特許文献１に記載の画像処理システムは、所定の機能に関する項目に設定が行われていない場合であっても、所定の機能に関する項目に関しては、特定の入力手段だけでしか操作することができなくなるため、ユーザの利便性が著しく損なわれる。
【０００６】
そこで、本発明は、ユーザの利便性が損なわれることなく、設定済みの設定項目が意図せずに変更されてしまうことを防止することを目的とする。
【課題を解決するための手段】
【０００７】
本発明の一態様に係る画像形成装置は、画像形成装置と前記画像形成装置と通信することのできる情報処理装置を備える画像形成システムにおいて、前記画像形成装置は、前記画像形成装置の設定を行うための第１の項目と第２の項目を少なくとも有する第１の画面を表示して、前記第１の項目及び前記第２の項目の設定のための入力を受け付ける第１の表示入力部を備え、前記情報処理装置は、前記第１の表示入力部において、前記第１の項目と前記第２の項目の内、前記第１の項目の設定が既に行われていた場合、前記第２の項目を有する第２の画面において、前記第１の項目の設定が既に行われたことがわかるようにするとともに、且つ前記第１の項目を選択できないようにするとともに、前記第２の項目を示して、前記第２の項目の設定のための入力を受け付ける第２の表示入力部を備えることを特徴とする。
【０００８】
本発明の一態様に係る情報処理装置は、画像形成装置の設定を行うための第１の項目と第２の項目の内、前記画像形成装置の第１の入力部において前記第１の項目の設定が既に行われていた場合、前記第２の項目を有する表示画面において、前記第１の項目の設定が既に行われていることがわかるようにするとともに、且つ前記第１の項目を選択できないようにするとともに、前記第２の項目を示す表示部と、前記第２の項目の設定のための入力を受け付ける第２の入力部と、を備えることを特徴とする。
【０００９】
本発明の一態様に係る設定方法は、画像形成装置に設定を行うための第１の項目と第２の項目を少なくとも有する第１の画面を表示する過程と、前記画像形成装置において、前記第１の画面で選択された項目の設定のための入力を受け付ける過程と、前記第１の項目と前記第２の項目の内、前記第１の項目の設定が既に行われていた場合、前記第２の項目を有する第２の画面において、前記第１の項目の設定が既に行われたことがわかるようにするとともに、且つ前記第１の項目を選択できないようにするとともに、前記第２の項目を示す過程と、前記第２の画面で、前記第２の項目の設定のための入力を受け付ける過程と、を有することを特徴とする。
【発明の効果】
【００１０】
本発明の一態様によれば、ユーザの利便性が損なわれることなく、設定済みの設定項目が意図せずに変更されてしまうことを防止することができる。
【図面の簡単な説明】
【００１１】
【図１】実施の形態１に係る画像形成システムの構成を概略的に示す模式図である。
【図２】実施の形態１における画像形成装置の構成を概略的に示すブロック図である。
【図３】実施の形態１における画像形成装置のハードウェア構成の一例を示すブロック図である。
【図４】実施の形態１における操作パネルの一例を示す概略図である。
【図５】実施の形態１における情報処理装置の構成を概略的に示すブロック図である。
【図６】実施の形態１における情報処理装置のハードウェア構成の一例を示すブロック図である。
【図７】実施の形態１における画像形成装置の表示入力部に表示される画面のフローを示す概略図である。
【図８】実施の形態１における装置初期設定画面の一例を示す概略図である。
【図９】実施の形態１におけるホーム画面の一例を示す概略図である。
【図１０】実施の形態１における言語設定画面の一例を示す概略図である。
【図１１】実施の形態１における時刻設定画面の一例を示す概略図である。
【図１２】実施の形態１におけるファックス設定画面の一例を示す概略図である。
【図１３】実施の形態１におけるネットワーク設定画面の一例を示す概略図である。
【図１４】実施の形態１における画像形成装置の起動時の動作を示すフローチャートである。
【図１５】実施の形態１における装置パラメータの初期値を示す概略図である。
【図１６】実施の形態１におけるファックス設定画面で値を設定する際の動作を示すフローチャートである。
【図１７】実施の形態１における更新後の装置パラメータの一例を示す概略図である。
【図１８】実施の形態１における情報処理装置の表示入力部に表示される画面のフローを示す概略図である。
【図１９】実施の形態１における装置選択画面の一例を示す概略図である。
【図２０】実施の形態１における装置初期設定画面の一例を示す概略図である。
【図２１】実施の形態１における装置初期設定画面の一例を示す概略図である。
【図２２】実施の形態１における設定ツールの起動時の動作を示すフローチャートである。
【図２３】実施の形態１における装置パラメータ取得コマンドの一例を示す概略図である。
【図２４】実施の形態１における装置パラメータ設定コマンドの一例を示す概略図である。
【図２５】実施の形態１における「設定ツールの設定画面」の動作を示すフローチャートである。
【図２６】実施の形態１における言語設定画面の一例を示す概略図である。
【図２７】実施の形態１における情報処理装置の装置パラメータの一例を示す概略図である。
【図２８】実施の形態１における装置パラメータ更新コマンドの第１の例を示す概略図である。
【図２９】実施の形態１における装置パラメータ更新コマンドの第２の例を示す概略図である。
【図３０】実施の形態１における画像形成装置の装置パラメータの変形例を示す概略図である。
【発明を実施するための形態】
【００１２】
実施の形態１．
（構成の説明）
図１は、実施の形態１に係る画像形成システム１００の構成を概略的に示す模式図である。
画像形成システム１００は、画像形成装置１１０と、情報処理装置１５０とを備える。画像形成装置１１０及び情報処理装置１５０は、ＬＡＮ（Ｌｏｃａｌ  Ａｒｅａ  Ｎｅｔｗｏｒｋ）等のネットワーク１０１に接続されている。
実施の形態１における画像形成装置１１０は、プリント機能、スキャン機能、コピー機能及びファックス機能を備える複合機である。画像形成装置１１０は、自装置に設定を行う表示入力部を備える。
情報処理装置１５０は、画像形成装置１１０に設定を行う表示入力部を提供する装置である。
ネットワーク１０１は、画像形成装置１１０と情報処理装置１５０を既知の通信技術で接続する通信回線である。
【００１３】
図２は、画像形成装置１１０の構成を概略的に示すブロック図である。
画像形成装置１１０は、記憶部１１１と、表示入力部１１５と、通信部１１６と、プリント部１１７と、スキャン部１１８と、ファックス部１１９と、制御部１２０と、計時部１２４とを備える。
【００１４】
記憶部１１１は、画像形成装置１１０での処理に必要な情報を記憶する。例えば、記憶部１１１は、画面データ１１２と、初期パラメータ１１３と、装置パラメータ１１４とを記憶する。
画面データ１１２は、表示入力部１１５に表示させる画面を描画するためのデータである。例えば、画面データ１１２は、画面を描画する際に使用するレイアウト情報及びアイコン情報を含む。
初期パラメータ１１３は、画像形成装置１１０に初期設定として設定する項目の初期値を示す初期設定情報である。
装置パラメータ１１４は、画像形成装置１１０に初期設定として設定された項目の値を示す設定情報。装置パラメータ１１４は、既に設定が行われた項目を特定することができるようにされている。装置パラメータ１１４の初期値は、初期パラメータ１１３で示される。
【００１５】
表示入力部１１５は、画面を表示する表示部と、入力を受け付ける入力部として機能する。例えば、表示入力部１１５は、画像形成装置１１０に設定を行う予め定められた複数の項目から設定を行う項目を選択する選択画面を表示して、この選択画面で選択された項目の設定を受け付ける。ここで、表示入力部１１５が表示する選択画面では、画像形成装置１１０に設定を行う予め定められた複数の項目の全てから設定を行う項目を選択することができる。
通信部１１６は、ネットワーク１０１を介して、通信を行う。例えば、通信部１１６は、ネットワーク１０１を介してデータを受信する受信部及びネットワークを介してデータを送信する送信部として機能する。
プリント部１１７は、媒体に画像を形成する画像形成部である。
スキャン部１１８は、原稿から画像データを読み取る。
ファックス部１１９は、図示しない電話回線を介して、画像データを送受信する。
【００１６】
制御部１２０は、画像形成装置１１０での処理を制御する。
制御部１２０は、画面制御部１２１と、パラメータ管理部１２２と、ジョブ制御部１２３とを備える。
画面制御部１２１は、画面データ１１２を用いて、表示入力部１１５に表示させる画面を描画した画像データを生成して、この画像データを表示入力部１１５に与えて、画面を表示させる。また、画面制御部１２１は、表示入力部１１５が受け付けた入力に応じて、表示入力部１１５に表示させる画面を遷移させる。
パラメータ管理部１２２は、装置パラメータ１１４の管理を行う。
ジョブ制御部１２３は、通信部１１６、プリント部１１７、スキャン部１１８及びファックス部１１９を制御して、画像形成装置１１０が有する機能を実行する。
計時部１２４は、時刻を計時する。計時部１２４が計時する時刻が、現在の時刻として扱われる。
【００１７】
図３は、実施の形態１に係る画像形成装置１１０のハードウェア構成の一例を示すブロック図である。
画像形成装置１１０は、ＲＯＭ（Ｒｅａｄ  Ｏｎｌｙ  Ｍｅｍｏｒｙ）１３０と、ＲＡＭ（Ｒａｎｄｏｍ  Ａｃｃｅｓｓ  Ｍｅｍｏｒｙ）１３１と、ＨＤＤ（Ｈａｒｄ  Ｄｉｓｋ  Ｄｒｉｖｅ）１３２と、ＲＴＣ（Ｒｅａｌ  Ｔｉｍｅ  Ｃｌｏｃｋ）１３３と、操作パネル１３４と、ＮＩＣ（Ｎｅｔｗｏｒｋ  Ｉｎｔｅｒｆａｃｅ  Ｃａｒｄ）１３５と、プリント装置１３６と、スキャン装置１３７と、ファックス装置１３８と、ＣＰＵ（Ｃｅｎｔｒａｌ  Ｐｒｏｃｅｓｓｉｎｇ  Ｕｎｉｔ）１３９とを備える。
【００１８】
ＲＯＭ１３０は、画像形成装置１１０を動作させるためのプログラム及びデータを読み出し専用で格納する記憶媒体である。
ＲＡＭ１３１は、さまざまな記憶情報を揮発的に記憶する記憶媒体である。
ＨＤＤ１３２は、さまざまな記憶情報を不揮発的に記憶する記憶媒体である。
ＲＴＣ１３３は、画像形成装置１１０の電源が切断されても内蔵電池により現在時刻を刻み続ける時計である。
操作パネル１３４は、画面を表示して、入力を受け付ける装置である。例えば、操作パネル１３４は、図４に示されているように、タッチパネル１３４ａと、テンキー１３４ｂとを備える。
ＮＩＣ１３５は、既知の通信技術を用いてネットワーク１０１を介してデータを送受信する装置である。
プリント装置１３６は、既知の印刷技術を用いて紙媒体に印刷出力する装置である。
スキャン装置１３７は、既知の光学的読取技術で画像データを読み取る装置である。
ファックス装置１３８は、既知の通信技術を用いて電話回線を介して画像データを送受信する装置である。
ＣＰＵ１３９は、画像形成装置１１０全体の動作を制御するプロセッサである。
【００１９】
図２に示されている画像形成装置１１０の構成と、図３に示されている画像形成装置１１０のハードウェアとの対応を説明する。
記憶部１１１は、ＣＰＵ１３９が、ＲＯＭ１３０、ＲＡＭ１３１及びＨＤＤ１３２を利用することで実現可能である。表示入力部１１５は、ＣＰＵ１３９が、操作パネル１３４を利用することで実現可能である。通信部１１６は、ＣＰＵ１３９が、ＮＩＣ１３５を利用することで実現可能である。プリント部１１７は、ＣＰＵ１３９がプリント装置１３６を利用することで実現可能である。スキャン部１１８は、ＣＰＵ１３９がスキャン装置１３７を利用することで実現可能である。ファックス部１１９は、ＣＰＵ１３９がファックス装置１３８を利用することで実現可能である。制御部１２０は、ＣＰＵ１３９が、ＲＯＭ１３０又はＨＤＤ１３２に記憶されているプログラムをＲＡＭ１３１に読み出して実行することで、実現することができる。計時部１２４は、ＲＴＣ１３３により実現可能である。ここでは、制御部１２０は、ＣＰＵ１３９がプログラムを実行することにより実現することができるようにされているが、このような例に限定されるものではない。制御部１２０の機能の全部又は一部が、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＦＰＧＡ（Ｆｉｅｌｄ  Ｐｒｏｇｒａｍｍａｂｌｅ  Ｇａｔｅ  Ａｒｒａｙ）等の集積ロジックＩＣによりハード的に実現されてもよいし、あるいは、ＤＳＰ（Ｄｉｇｉｔａｌ  Ｓｉｇｎａｌ  Ｐｒｏｃｅｓｓｏｒ）等によりソフトウェア的に実現されてもよい。
【００２０】
図５は、情報処理装置１５０の構成を概略的に示すブロック図である。
情報処理装置１５０は、記憶部１５１と、表示入力部１５５と、通信部１５６と、制御部１６０とを備える。
記憶部１５１は、情報処理装置１５０での処理に必要な情報を記憶する。例えば、記憶部１５１は、画面データ１５２と、表示設定１５３と、装置パラメータ１５４とを記憶する。
画面データ１５２は、表示入力部１５５に表示させる画面を描画するためのデータである。例えば、画面データ１５２は、画面を描画する際に使用するレイアウト情報及びアイコン情報を含む。
表示設定１５３は、表示入力部１５５に表示させる装置初期設定画面の表示方法を示す情報である。例えば、表示設定１５３は、既に設定されている項目を表示しないこと、又は、全ての項目を表示することを示す。
装置パラメータ１５４は、画像形成装置１１０に初期設定として設定された項目の値を示す。
【００２１】
表示入力部１５５は、画面を表示する表示部と、入力を受け付ける入力部として機能する。例えば、表示入力部１５５は、画像形成装置１１０に設定を行う予め定められた複数の項目の内、既に設定が行われた項目以外の項目から、設定を行う項目を選択する選択画面を表示して、この選択画面で選択された項目の設定を受け付ける。なお、表示入力部１５５は、ユーザから指示を受けた場合には、画像形成装置１１０に設定を行う複数の項目の全てから設定を行う項目を選択するための選択画面を表示する。
通信部１５６は、ネットワーク１０１を介して、通信を行う。例えば、通信部１５６は、ネットワーク１０１を介してデータを受信する受信部及びネットワークを介してデータを送信する送信部として機能する。
【００２２】
制御部１６０は、情報処理装置１５０での処理を制御する。例えば、制御部１６０は、設定ツール１６１を備える。
設定ツール１６１は、画像形成装置１１０の初期設定を行う初期設定部である。例えば、設定ツール１６１は、通信部１５６を介して、画像形成装置１１０から、画像形成装置１１０内の装置パラメータ１１４で示される値を取得し、取得した値に基づいて、記憶部１５１に装置パラメータ１５４を記憶させる。そして、設定ツール１６１は、装置パラメータ１５４及び表示設定１５３に基づいて、画像形成装置１１０に初期設定として設定する項目を選択し、その項目の値を入力するための画面を表示入力部１５５に表示させて、必要な値の入力を受け付ける。設定ツール１６１は、通信部１５６を介して、入力された値を画像形成装置１１０に送り、画像形成装置１１０の装置パラメータ１１４に反映させる。ここで、設定ツール１６１は、画像形成装置１１０に初期設定を行うために使用されるものである。このため、既に初期設定が済んでいる場合には、設定ツール１６１以外の制御部１６０が設定を行う項目の選択、選択された項目の設定等の処理を行う。
【００２３】
図６は、実施の形態１に係る情報処理装置１５０のハードウェア構成の一例を示すブロック図である。
情報処理装置１５０は、ＲＡＭ１７０と、ＨＤＤ１７１と、ディスプレイ１７２と、キーボード１７３と、マウス１７４と、ＮＩＣ１７５と、ＣＰＵ１７６とを備える。
【００２４】
ＲＡＭ１７０は、さまざまな記憶情報を揮発的に記憶する記憶媒体である。
ＨＤＤ１７１は、さまざまな記憶情報を不揮発的に記憶する記憶媒体である。
ディスプレイ１７２は、既知の表示技術により映像を表示する表示装置である。
キーボード１７３は、キー押下により文字等の入力信号を伝える入力装置である。
マウス１７４は、二次元移動情報を伝えることによりポイント位置を指定する入力装置である。
ＮＩＣ１７５は、既知の通信技術を用いてネットワーク１０１を介してデータを送受信する装置である。
ＣＰＵ１７６は、情報処理装置１５０全体の動作を制御するプロセッサである。
【００２５】
図５に示されている情報処理装置１５０の構成と、図６に示されている情報処理装置１５０のハードウェアとの対応を説明する。
記憶部１５１は、ＣＰＵ１７６が、ＲＡＭ１７０及びＨＤＤ１７１を利用することで実現可能である。表示入力部１５５は、ＣＰＵ１７６が、ディスプレイ１７２、キーボード１７３及びマウス１７４を利用することで実現可能である。通信部１５６は、ＣＰＵ１７６が、ＮＩＣ１７５を利用することで実現可能である。制御部１６０は、ＣＰＵ１７６が、ＨＤＤ１７１に記憶されているプログラムをＲＡＭ１７０に読み出して実行することで、実現することができる。ここでは、制御部１６０は、ＣＰＵ１７６がプログラムを実行することにより実現することができるようにされているが、このような例に限定されるものではない。制御部１６０の機能の全部又は一部が、ＡＳＩＣ、ＦＰＧＡ等の集積ロジックＩＣによりハード的に実現されてもよいし、あるいは、ＤＳＰ等によりソフトウェア的に実現されてもよい。
【００２６】
（動作の説明）
図７は、画像形成装置１１０の表示入力部１１５に表示される画面のフローを示す概略図である。
画像形成装置１１０の表示入力部１１５には、画像形成装置１１０への初期設定の状態に応じて、装置初期設定画面ＰＩＣ１１又はホーム画面ＰＩＣ１２が表示される。図８は、装置初期設定画面ＰＩＣ１１の一例を示す概略図である。装置初期設定画面ＰＩＣ１１は、設定を行う項目を選択する選択画面である。図９は、ホーム画面ＰＩＣ１２の一例を示す概略図である。装置初期設定画面ＰＩＣ１１において設定を行う項目が選択されると、表示入力部１１５には、言語設定画面ＰＩＣ１３、時刻設定画面ＰＩＣ１４、ファックス設定画面ＰＩＣ１５又はネットワーク設定画面ＰＩＣ１６が表示される。図１０は、言語設定画面ＰＩＣ１３の一例を示す概略図である。図１１は、時刻設定画面ＰＩＣ１４の一例を示す概略図である。図１２は、ファックス設定画面ＰＩＣ１５の一例を示す概略図である。図１３は、ネットワーク設定画面ＰＩＣ１６の一例を示す概略図である。
以降の説明において、言語設定画面ＰＩＣ１３、時刻設定画面ＰＩＣ１４、ファックス設定画面ＰＩＣ１５及びネットワーク設定画面ＰＩＣ１６の総称として、「設定画面」という名称を使用する。また、以降で説明する各画面の動作は、画面制御部１２１により実行される。各画面を描画する際に、画面制御部１２１は、画面データ１１２を使用する。
【００２７】
図１４は、画像形成装置１１０の起動時の動作を示すフローチャートである。
図１４に示されているフローは、例えば、画像形成装置１１０の電源がオンにされた場合に開始される。
パラメータ管理部１２２は、記憶部１１１内に装置パラメータ１１４が存在するか否かを確認する（Ｓ１０）。
装置パラメータ１１４が存在しない場合（ステップＳ１０でＮｏ）は、画像形成装置１１０の初めての起動である。この場合、初期設定が実施されていない状態であるため、パラメータ管理部１２２は、記憶部１１１に記憶されている初期パラメータ１１３を初期値として、装置パラメータ１１４を生成して、記憶部１１１に記憶させる（Ｓ１１）。
そして、画面制御部１２１は、画像形成装置１１０の初期設定をユーザに実施させるために、表示入力部１１５に装置初期設定画面ＰＩＣ１１を表示させる（Ｓ１２）。
【００２８】
一方、装置パラメータ１１４が存在する場合（ステップＳ１０でＹｅｓ）には、パラメータ管理部１２２は、装置パラメータ１１４が初期パラメータ１１３から変更されているか否かを確認する（Ｓ１３）。パラメータ管理部１２２は、装置パラメータ１１４に含まれている値の１つでも初期パラメータ１１３に含まれている値から変わっている場合には、装置パラメータ１１４が初期パラメータ１１３から変更されていると判断する。また、パラメータ管理部１２２は、装置パラメータ１１４に含まれている特定の値が初期パラメータ１１３に含まれている値から変わっている場合に、装置パラメータ１１４が初期パラメータ１１３から変更されていると判断してもよい。例えば、時刻は、複数の機能で使用されるための、この設定が行われていないと、複数の機能で問題が生ずる場合がある。このため、時刻の設定が行われていない場合には、パラメータ管理部１２２は、装置パラメータ１１４が初期パラメータ１１３から変更されていないと判断してもよい。
【００２９】
装置パラメータ１１４が初期パラメータ１１３から変更されていない場合（ステップＳ１３でＮｏ）には、ステップＳ１２に進み、画面制御部１２１は、画像形成装置１１０の初期設定をユーザに実施させるために、表示入力部１１５に装置初期設定画面ＰＩＣ１１を表示させる。つまり、ユーザによる初期設定が実施されるまでは、ユーザによる初期設定を促すために、画像形成装置１１０の起動時に装置初期設定画面ＰＩＣ１１が表示される。
装置パラメータ１１４が初期パラメータ１１３から変更されている場合（ステップＳ１３でＹｅｓ）には、ユーザによる初期設定が実施済みであると判断し、画面制御部１２１は、装置初期設定画面ＰＩＣ１１を表示させずに、表示入力部１１５にホーム画面ＰＩＣ１２を表示させる（Ｓ１４）。
【００３０】
以上のように、ユーザによる初期設定が実施されていない状態で画像形成装置１１０が起動された場合、起動後の初期画面として、図８に示されている装置初期設定画面ＰＩＣ１１が表示される。以下、ボタンは、指示を入力するための領域である。
装置初期設定画面ＰＩＣ１１において、終了ボタンＢ１１ｅが押下されると、図９に示されているホーム画面ＰＩＣ１２が表示される。
ホーム画面ＰＩＣ１２は、コピーボタンＢ１２ａと、スキャンボタンＢ１２ｂと、ファックスボタンＢ１２ｃと、プリントボタンＢ１２ｄと、設定ボタンＢ１２ｅとを有する。コピーボタンＢ１２ａが押下されると、画像形成装置１１０のジョブ制御部１２３は、コピー機能を実行する。スキャンボタンＢ１２ｂが押下されると、画像形成装置１１０のジョブ制御部１２３は、スキャン機能を実行する。ファックスボタンＢ１２ｃが押下されると、画像形成装置１１０のジョブ制御部１２３は、ファックス機能を実行する。プリントボタンＢ１２ｄが押下されると、画像形成装置１１０のジョブ制御部１２３は、プリント機能を実行する。設定ボタンＢ１２ｅが押下されると、画面制御部１２１は、装置初期設定画面ＰＩＣ１１とは異なる詳細設定画面（図示せず）を表示入力部１１５に表示させて、画像形成装置１１０の詳細な設定を受け付けることができるようにする。
【００３１】
図８に示されている装置初期設定画面ＰＩＣ１１において、言語設定ボタンＢ１１ａが押下されると、図１０に示されている言語設定画面ＰＩＣ１３が表示される。
言語設定画面ＰＩＣ１３は、言語選択ボタンＢ１３ａ〜Ｂ１３ｆと、キャンセルボタンＢ１３ｇと、設定ボタンＢ１３ｈとを有する。言語選択ボタンＢ１３ａ〜Ｂ１３ｆが押下されると、言語選択ボタンＢ１３ａ〜Ｂ１３ｆに表示されている言語が選択される。キャンセルボタンＢ１３ｇが押下された場合には、言語選択ボタンＢ１３ａ〜Ｂ１３ｆによる言語の選択がキャンセルされて、画面は装置初期設定画面ＰＩＣ１１に戻る。設定ボタンＢ１３ｈが押下された場合には、言語選択ボタンＢ１３ａ〜Ｂ１３ｆで選択された言語が装置パラメータ１１４に設定されて、画面は装置初期設定画面ＰＩＣ１１に戻る。
【００３２】
図８に示されている装置初期設定画面ＰＩＣ１１において、時刻設定ボタンＢ１１ｂが押下されると、図１１に示されている時刻設定画面ＰＩＣ１４が表示される。
時刻設定画面ＰＩＣ１４は、時入力欄Ａ１４ａと、分入力欄Ａ１４ｂ、秒入力欄Ａ１４ｃと、キャンセルボタンＢ１４ａと、設定ボタンＢ１４ｂとを有する。時入力欄Ａ１４ａは、時間の入力を受け付ける。分入力欄Ａ１４ｂは、分の入力を受け付ける。秒入力欄Ａ１４ｃは、秒の入力を受け付ける。キャンセルボタンＢ１４ａが押下された場合には、時入力欄Ａ１４ａ、分入力欄Ａ１４ｂ及び秒入力欄Ａ１４ｃへの入力がキャンセルされて、画面は装置初期設定画面ＰＩＣ１１に戻る。設定ボタンＢ１４ｂが押下された場合には、時入力欄Ａ１４ａ、分入力欄Ａ１４ｂ及び秒入力欄Ａ１４ｃに入力された時刻が現在時刻として計時部１２４に設定され、画面は装置初期設定画面ＰＩＣ１１に戻る。なお、設定ボタンＢ１４ｂは、時入力欄Ａ１４ａ、分入力欄Ａ１４ｂ及び秒入力欄Ａ１４ｃへの入力が行われないと押下することができないようにされている。
【００３３】
図８に示されている装置初期設定画面ＰＩＣ１１において、ファックス設定ボタンＢ１１ｃが押下されると、図１２に示されているファックス設定画面ＰＩＣ１５が表示される。
ファックス設定画面ＰＩＣ１５は、ファックス番号入力欄Ａ１５と、キャンセルボタンＢ１５ａと、設定ボタンＢ１５ｂとを有する。ファックス番号入力欄Ａ１５はファックス番号の入力を受け付ける。キャンセルボタンＢ１５ａが押下された場合には、ファックス番号入力欄Ａ１５への入力がキャンセルされて、画面は装置初期設定画面ＰＩＣ１１に戻る。設定ボタンＢ１５ｂが押下された場合には、ファックス番号入力欄Ａ１５に入力されたファックス番号が装置パラメータ１１４に設定されて、画面は装置初期設定画面ＰＩＣ１１に戻る。なお、設定ボタンＢ１５ｂは、ファックス番号入力欄Ａ１５への入力が行われないと押下することができないようにされている。
【００３４】
図８に示されている装置初期設定画面ＰＩＣ１１において、ネットワーク設定ボタンＢ１１ｄが押下されると、図１３に示されているネットワーク設定画面ＰＩＣ１６が表示される。
ネットワーク設定画面ＰＩＣ１６は、ＩＰアドレス入力欄Ａ１６ａと、サブネットマスク入力欄Ａ１６ｂ、ゲートウェイ入力欄Ａ１６ｃと、キャンセルボタンＢ１６ａと、設定ボタンＢ１６ｂとを有する。ＩＰアドレス入力欄Ａ１６ａは、ＩＰアドレスの入力を受け付ける。サブネットマスク入力欄Ａ１６ｂは、サブネットマスクの値の入力を受け付ける。ゲートウェイ入力欄Ａ１６ｃは、ゲートウェイの値の入力を受け付ける。キャンセルボタンＢ１６ａが押下された場合には、ＩＰアドレス入力欄Ａ１６ａと、サブネットマスク入力欄Ａ１６ｂ及びゲートウェイ入力欄Ａ１６ｃへの入力がキャンセルされて、画面は装置初期設定画面ＰＩＣ１１に戻る。設定ボタンＢ１６ｂが押下された場合には、ＩＰアドレス入力欄Ａ１６ａと、サブネットマスク入力欄Ａ１６ｂ及びゲートウェイ入力欄Ａ１６ｃに入力された通信設定が装置パラメータ１１４に設定されて、画面は装置初期設定画面ＰＩＣ１１に戻る。なお、設定ボタンＢ１６ｂは、ＩＰアドレス入力欄Ａ１６ａと、サブネットマスク入力欄Ａ１６ｂ及びゲートウェイ入力欄Ａ１６ｃへの入力が行われないと押下することができないようにされている。
【００３５】
図１５は、装置パラメータ１１４の初期値を示す概略図である。
初期パラメータ１１３は、固定値として図１５に示されている値を保持している。
装置パラメータ１１４は、項目欄１１４ａと、値欄１１４ｂとを有し、項目欄１１４ａで特定される項目の値が値欄１１４ｂに格納されている。
項目Ｉ１の値は、言語設定（ＬＡＮＧＵＡＧＥ＿ＳＥＴＴＩＮＧ）が行われたか否かを示す。言語設定が行われていない場合には、項目Ｉ１の値は、未実施を示す「ＦＡＬＳＥ」となり、言語設定が行われた場合には、項目Ｉ１の値は、実施済みを示す「ＴＲＵＥ」となる。初期値では、項目Ｉ１の値は「ＦＡＬＳＥ」である。
項目Ｉ２の値は、時刻設定（ＴＩＭＥ＿ＳＥＴＴＩＮＧ）が行われたか否かを示す。時刻設定が行われていない場合には、項目Ｉ２の値は、未実施を示す「ＦＡＬＳＥ」となり、時刻設定が行われた場合には、項目Ｉ２の値は、実施済みを示す「ＴＲＵＥ」となる。初期値では、項目Ｉ２の値は「ＦＡＬＳＥ」である。
【００３６】
項目Ｉ３の値は、ファックス設定（ＦＡＸ＿ＳＥＴＴＩＮＧ）が行われたか否かを示す。ファックス設定が行われていない場合には、項目Ｉ３の値は、未実施を示す「ＦＡＬＳＥ」となり、ファックス設定が行われた場合には、項目Ｉ３の値は、実施済みを示す「ＴＲＵＥ」となる。初期値では、項目Ｉ３の値は「ＦＡＬＳＥ」である。
項目Ｉ４の値は、ネットワーク設定（ＮＥＴＷＯＲＫ＿ＳＥＴＴＩＮＧ）が行われたか否かを示す。ネットワーク設定が行われていない場合には、項目Ｉ４の値は、未実施を示す「ＦＡＬＳＥ」となり、ネットワーク設定が行われた場合には、項目Ｉ４の値は、実施済みを示す「ＴＲＵＥ」となる。初期値では、項目Ｉ４の値は「ＦＡＬＳＥ」である。
【００３７】
項目Ｉ５の値は、画像形成装置１１０で使用される言語を示す情報が格納される。初期値では、項目Ｉ５の値は「ＪＡＰＡＮＥＳＥ」である。
項目Ｉ６の値は、画像形成装置１１０で使用されるファックス番号が格納される。初期値では、項目Ｉ６の値は、設定されていないことを示す「Ｎ／Ａ」である。
項目Ｉ７の値は、画像形成装置１１０で使用されるＩＰアドレスが格納される。初期値では、項目Ｉ７の値は、設定されていないことを示す「Ｎ／Ａ」である。
項目Ｉ８の値は、画像形成装置１１０で使用されるサブネットマスクの値が格納される。初期値では、項目Ｉ８の値は、設定されていないことを示す「Ｎ／Ａ」である。
項目Ｉ９の値は、画像形成装置１１０で使用されるゲートウェイの値が格納される。初期値では、項目Ｉ９の値は、設定されていないことを示す「Ｎ／Ａ」である。
【００３８】
言語設定は、言語設定画面ＰＩＣ１３において実施される。言語設定が実施されると、項目Ｉ１の値が「ＴＲＵＥ」に変更され、項目Ｉ５の値が、言語設定画面ＰＩＣ１３で選択された言語を示す情報となる。なお、言語設定画面ＰＩＣ１３において、設定ボタンＢ１３ｈが押下された場合に、言語設定が実施されたことになる。
時刻設定は、時刻設定画面ＰＩＣ１４において実施される。時刻設定が実施されると、項目Ｉ２の値が「ＴＲＵＥ」に変更される。時刻設定画面ＰＩＣ１４で入力された時刻は、計時部１２４に設定される。なお、時刻設定画面ＰＩＣ１４において、設定ボタンＢ１４ｂが押下された場合に、時刻設定が実施されたことになる。
【００３９】
ファックス設定は、ファックス設定画面ＰＩＣ１５において実施される。ファックス設定が実施されると、項目Ｉ３の値が「ＴＲＵＥ」に変更され、項目Ｉ６の値が、ファックス設定画面ＰＩＣ１５において入力されたファックス番号に変更される。なお、ファックス設定画面ＰＩＣ１５において、設定ボタンＢ１５ｂが押下された場合に、ファックス設定が実施されたことになる。
ネットワーク設定は、ネットワーク設定画面ＰＩＣ１６において実施される。ネットワーク設定が実施されると、項目Ｉ４の値が「ＴＲＵＥ」に変更され、項目Ｉ７、項目Ｉ８及び項目Ｉ９の値が、ネットワーク設定画面ＰＩＣ１６において入力された値に変更される。なお、ネットワーク設定画面ＰＩＣ１６において、設定ボタンＢ１６ｂが押下された場合に、ネットワーク設定が実施されたことになる。
【００４０】
次に、設定画面で値を設定する際の動作について、ファックス設定画面ＰＩＣ１５を例として説明する。
図１６は、ファックス設定画面ＰＩＣ１５で値を設定する際の動作を示すフローチャートである。
図１６のフローは、図８に示されている装置初期設定画面ＰＩＣ１１において、ファックス設定ボタンＢ１１ｃが押下された場合に開始される。
まず、画面制御部１２１は、表示入力部１１５に、図１２に示されているファックス設定画面ＰＩＣ１５を表示させて、ファックス番号の入力を受け付ける（Ｓ２０）。ここで、ファックス番号の入力を受け付けるために、図１２に示されているファックス設定画面ＰＩＣ１５では、ファックス番号入力欄Ａ１５がハイライトされている。この状態で、図４に示されているテンキー１３４ｂが押下されると、押下されたキーの数値がファックス番号入力欄Ａ１５に表示される。
【００４１】
ファックス設定画面ＰＩＣ１５において、キャンセルボタンＢ１５ａが押下されると（Ｓ２１でＹｅｓ）、パラメータ管理部１２２は、装置パラメータ１１４に対する変更を実施せず、画面制御部１２１は、ファックス設定画面ＰＩＣ１５の表示を終了して、画面を装置初期設定画面ＰＩＣ１１に戻す。
ファックス設定画面ＰＩＣ１５において、設定ボタンＢ１５ｂが押下されると（Ｓ２２でＹｅｓ）、パラメータ管理部１２２は、ファックス番号入力欄Ａ１５に入力されたファックス番号を、装置パラメータ１１４の項目Ｉ６の値として格納する（Ｓ２３）。
さらに、パラメータ管理部１２２は、ファックス設定が実施済であることを装置パラメータ１１４に設定するため、項目Ｉ３の値を「ＴＲＵＥ」に変更する（Ｓ２４）。そして、画面制御部１２１は、ファックス設定画面ＰＩＣ１５を終了して、画面を装置初期設定画面ＰＩＣ１１に戻す。
【００４２】
図１７は、装置パラメータ１１４が初期値である場合に、図１６に示されているフローにより、ファックス番号が設定され、同様のフローにより時刻が設定された後の装置パラメータ１１４＃１を示す概略図である。
図１７に示されているように、初期設定としてファックス番号が設定されているため、項目Ｉ３の値が「ＴＲＵＥ」に変更され、項目Ｉ６の値が入力されたファックス番号「０２７１２３４５６７」に変更されている。
また、図１７に示されているように、初期設定として時刻が設定されているため、項目Ｉ２の値が「ＴＲＵＥ」に変更されている。なお、入力された時刻は、計時部１２４に反映されるため、装置パラメータ１１４＃１には格納されない。
図１７に示されている装置パラメータ１１４＃１は、時刻設定とファックス設定とは実施済であるが、言語設定とネットワーク設定とは未実施であることを示している。
【００４３】
次に、情報処理装置１５０での初期設定の動作について説明する。
図１８は、情報処理装置１５０の表示入力部１５５に表示される画面のフローを示す概略図である。
設定ツール１６１を立ち上げると、情報処理装置１５０の表示入力部１５５には、装置選択画面ＰＩＣ２０が表示される。装置選択画面ＰＩＣ２０で初期設定を行う画像形成装置１１０が選択されると、選択された画像形成装置１１０で既に設定されている項目を選択することができないようにされた装置初期設定画面ＰＩＣ２１が表示される。装置初期設定画面ＰＩＣ２１は、設定を行う項目を選択する選択画面である。ここでは、装置初期設定画面ＰＩＣ２１では、言語設定及びネットワーク設定が選択できるものとする。初期設定画面ＰＩＣ２１で全ての項目を選択できるようにする指示がなされると、全ての項目を選択できるようにした装置初期設定画面ＰＩＣ２２が表示される。図１９は、装置選択画面ＰＩＣ２０の一例を示す概略図である。図２０は、装置初期設定画面ＰＩＣ２１の一例を示す概略図である。図２１は、装置初期設定画面ＰＩＣ２２の一例を示す概略図である。
【００４４】
そして、装置初期設定画面ＰＩＣ２１において設定を行う項目が選択されると、表示入力部１５５には、言語設定画面ＰＩＣ２３又はネットワーク設定画面ＰＩＣ２６が表示される。また、装置初期設定画面ＰＩＣ２２において設定を行う項目が選択されると、表示入力部１５５には、言語設定画面ＰＩＣ２３、時刻設定画面ＰＩＣ２４、ファックス設定画面ＰＩＣ２５又はネットワーク設定画面ＰＩＣ２６が表示される。
なお、言語設定画面ＰＩＣ２３、時刻設定画面ＰＩＣ２４、ファックス設定画面ＰＩＣ２５及びネットワーク設定画面ＰＩＣ２６のそれぞれは、図１０に示されている言語設定画面ＰＩＣ１３、図１１に示されている時刻設定画面ＰＩＣ１４、図１２に示されているファックス設定画面ＰＩＣ１５及び図１３に示されているネットワーク設定画面ＰＩＣ１６のそれぞれとほぼ同様に構成されている。従って、情報処理装置１５０においても、画像形成装置１１０と同じ初期設定を行うことができる。
以降の説明において、言語設定画面ＰＩＣ２３、時刻設定画面ＰＩＣ２４、ファックス設定画面ＰＩＣ２５及びネットワーク設定画面ＰＩＣ２６の総称として、「設定ツールの設定画面」という名称を使用する。また、以降で説明する各画面の動作は、設定ツール１６１により実行される。各画面を描画する際に、設定ツール１６１は、画面データ１５２を使用する。
【００４５】
図２２は、設定ツール１６１の起動時の動作を示すフローチャートである。
図２２に示されているフローは、設定ツール１６１が起動された際に開始される。
設定ツール１６１は、通信部１５６を介して、ネットワーク１０１に接続された画像形成装置１１０を検索する。ここでは、設定ツール１６１は、ネットワーク１０１に接続されている画像形成装置１１０の装置名、ＩＰアドレス及びＭＡＣアドレスを取得するものとする。そして、設定ツール１６１は、表示入力部１５５に、図１９に示されている装置選択画面ＰＩＣ２０を表示させる。装置選択画面ＰＩＣ２０には、検索された４つの画像形成装置１１０の装置名、ＩＰアドレス及びＭＡＣアドレスが表示されている。
表示されている装置名、ＩＰアドレス及びＭＡＣアドレスの何れかが選択されると、選択された装置名、ＩＰアドレス及びＭＡＣアドレスがハイライト表示される。ここでは、装置名「ＭＣ８６２」の画像形成装置１１０がハイライト表示されているものとする。この状態で、選択ボタンＢ２１が押下されると、初期設定の対象となる画像形成装置１１０の選択が装置名「ＭＣ８６２」の画像形成装置１１０に確定される（Ｓ３０）。なお、ネットワーク１０１に接続された画像形成装置１１０の検索及び選択の方法については、公知の技術で実現可能であるため、詳細な説明を省略する。
【００４６】
設定ツール１６１は、ステップＳ３０で選択された画像形成装置１１０から、装置パラメータ１１４を取得する（Ｓ３１）。例えば、設定ツール１６１は、通信部１５６に指示することで、図２３に示されている装置パラメータ取得コマンドを、画像形成装置１１０に送信させる。装置パラメータ取得コマンドは、画像形成装置１１０に対して、装置パラメータ１１４に格納されている値の取得を要求するコマンド（指示情報）であり、値の取得を要求する項目を含んでいる。画像形成装置１１０は、そのようなコマンドを受信すると、ジョブ制御部１２３が記憶部１１１に記憶されている装置パラメータ１１４に基づいて、図２４に示すような装置パラメータ設定コマンドを生成する。装置パラメータ設定コマンドは、要求された項目の値を示す通信情報である。装置パラメータ設定コマンドは、画像形成装置１１０で既に設定が行われた項目を特定することができるようにされている。設定ツール１６１は、通信部１５６が受信した装置パラメータ設定コマンドを取得する。そして、設定ツール１６１は、取得した装置パラメータ設定コマンドより、画像形成装置１１０側の装置パラメータ１１４と同様の構成を有する装置パラメータ１５４を生成して、記憶部１５１に記憶させる。装置パラメータ１５４は、画像形成装置１１０で既に設定が行われた項目を特定することのできる設定情報である。
【００４７】
表示設定１５３は、画面の表示設定として「設定済み項目を隠す」か「すべて表示する」かの２つの値のどちらか１つを保持する。設定ツール１６１は、表示設定１５３の初期値として、「設定済み項目を隠す」を示す値を設定する（Ｓ３２）。
設定ツール１６１は、装置パラメータ１５４及び表示設定１５３に基づいて、図２０に示されている装置初期設定画面ＰＩＣ２１を表示する（Ｓ３３）。例えば、装置パラメータ１５４が図２４に示されている装置パラメータ設定コマンドに基づいて生成されている場合、時刻設定とファックス設定とは既に行われているため、これらを選択できないように、図２０に示されている装置初期設定画面ＰＩＣ２１は、これらの項目を非表示にしている。言い換えると、図２４に示されている装置パラメータ設定コマンドでは、言語設定（ＬＡＮＧＵＡＧＥ＿ＳＥＴＴＩＮＧ）とネットワーク設定（ＮＥＴＷＯＲＫ＿ＳＥＴＴＩＮＧ）が未実施（ＦＡＬＳＥ）であるため、図２０に示されている装置初期設定画面ＰＩＣ２１では、初期設定を行う項目を選択するボタンとして、言語設定ボタンＢ２１ａ及びネットワーク設定ボタンＢ２１ｄだけが表示されている。
【００４８】
図２０に示されている装置初期設定画面ＰＩＣ２１において、「すべて表示する」ボタンＢ２１ｅが押下されると、設定ツール１６１は、表示設定１５３の値を「すべて表示する」を示す値に変更し、表示入力部１５５に、図２１に示されている装置初期設定画面ＰＩＣ２２を表示させる。図２０に示されている装置初期設定画面ＰＩＣ２１と、図２１に示されている装置初期設定画面ＰＩＣ２２とは、画像形成装置１１０に初期設定を行う項目を選択するという同じ役割を果たす画面であり、表示内容が変化しているだけである。図２１に示されている装置初期設定画面ＰＩＣ２２では、図２０に示されている装置初期設定画面ＰＩＣ２１と同様の言語設定ボタンＢ２２ａ及びネットワーク設定ボタンＢ２２ｄが表示されているほか、装置初期設定画面ＰＩＣ２１において隠されていた時刻設定ボタンＢ２２ｂ及びファックス設定ボタンＢ２２ｃも表示されている。
【００４９】
図２５は、「設定ツールの設定画面」の動作を示すフローチャートである。
「設定ツールの設定画面」の動作について、図２６に示されている言語設定画面ＰＩＣ２３を例にして説明する。図２５に示されているフローチャートは、図２０に示されている装置初期設定画面ＰＩＣ２１において、言語設定ボタンＢ２１ａが押下された場合に開始される。
【００５０】
設定ツール１６１は、表示入力部１５５に図２６に示されている言語設定画面ＰＩＣ２３を表示させる。
言語設定画面ＰＩＣ２３は、言語選択ボタンＢ２３ａ〜Ｂ２３ｆと、キャンセルボタンＢ２３ｇと、設定ボタンＢ２３ｈとを有する。これらのボタンは、図１０に示されている、画像形成装置１１０の言語設定画面ＰＩＣ１３と同様である。
そして、設定ツール１６１は、言語選択ボタンＢ２３ａ〜Ｂ２３ｆの中から、選択する言語に対応するボタンの押下を受け付ける（Ｓ４０）。図２６においては、日本語の言語選択ボタンＢ２３ａが選択されており、このボタンがハイライト表示されている。ここで、他の言語の言語選択ボタンＢ２３ｂ〜Ｂ２３ｆが押下されると、押下されたボタンが排他的にハイライト表示される。つまり、言語選択ボタンＢ２３ａ〜Ｂ２３ｆの中で、１つのボタンのみがハイライト表示される。
【００５１】
言語設定画面ＰＩＣ２３において、キャンセルボタンＢ２３ｇが押下されると（ステップＳ４１でＹｅｓ）、設定ツール１６１は、装置パラメータ１５４に対する変更を実施せずに、言語設定画面ＰＩＣ２３を終了して、図２０に示されている装置初期設定画面ＰＩＣ２１を表示入力部１５５に表示させる。
【００５２】
言語設定画面ＰＩＣ２３において、設定ボタンＢ２３ｈが押下されると（ステップＳ４２でＹｅｓ）、設定ツール１６１は、ハイライト表示されている言語を装置パラメータ１５４に設定する（Ｓ４３）。例えば、言語設定画面ＰＩＣ２３において、「Ｅｎｇｌｉｓｈ」の言語選択ボタンＢ２３ｂがハイライト表示されていた場合には、設定ツール１６１は、図２７に示されているように、装置パラメータ１５４の「ＬＡＮＧＵＡＧＥ」の項目Ｉ１５の値を「ＥＮＧＬＩＳＨ」に変更し、「ＬＵＮＧＵＡＧＥ＿ＳＥＴＴＩＮＧ」の項目Ｉ１１の値を「ＴＲＵＥ」に変更する。
【００５３】
次に、設定ツール１６１は、装置パラメータ１５４に設定された内容を画像形成装置１１０に設定する（Ｓ４４）。例えば、設定ツール１６１は、図２８に示されている装置パラメータ更新コマンドを生成する。そして、設定ツール１６１は、通信部１５６に指示して、この装置パラメータ更新コマンドを画像形成装置１１０に送信させる。装置パラメータ更新コマンドは、情報処理装置１５０において更新された項目と、更新された値とを示す更新指示情報である。このようなコマンドを受信した画像形成装置１１０では、ジョブ制御部１２３からこのようなコマンドがパラメータ管理部１２２に与えられる。そして、パラメータ管理部１２２は、装置パラメータ１１４において、コマンドで示されている更新された項目の値を、更新された値に設定する。なお、情報処理装置１５０においてネットワークの初期設定が行われた場合には、図２９に示されているような装置パラメータ更新コマンドが、画像形成装置１１０に送信される。
【００５４】
なお、ステップＳ４４の処理が終了すると、言語設定の処理が終了し、装置初期設定画面が表示入力部１５５に表示される。ここで表示される装置初期設定画面は、図２０に示されているように、既に設定された言語設定ボタンＢ２１ａが表示されていてもよいし、既に設定された言語設定ボタンＢ２１ａが非表示にされていてもよい。また、既に設定された言語設定ボタンＢ２１ａが表示されてはいるが、既に設定済みであることがわかるように表示されていてもよい。例えば、言語設定ボタンＢ２１ａが破線で表示されていたり、言語設定ボタンＢ２１ａ内又は言語設定ボタンＢ２１ａの周囲に設定済みであることを示すマーク等が表示されていたりしてもよい。さらに、既に設定された言語設定ボタンＢ２１ａが表示されてはいるが、ブラックアウト等により、選択できないようになっていてもよい。
【００５５】
以上のように実施の形態１によれば、複数の表示入力部から画像形成装置１１０の初期設定を行うことが可能な画像形成システム１００において、既に設定済みの設定項目については、そのような項目を設定するための選択を行うことができなくなっているため、意図せずに上書きされてしまうことを防止できる。さらに、選択できなくなっている項目を選択できるようにすることもできるため、利用者が表示入力部を選択する自由度も確保することができる。
【００５６】
以上に記載された実施の形態においては、図２０に示されている装置初期設定画面ＰＩＣ２１のように、既に設定済みの設定項目は、非表示にされているが、このような例に限定されるものではない。例えば、既に設定済みの設定項目については、表示されてはいるが、ブラックアウト等により、選択することができなくされていてもよい。
【００５７】
以上に記載された実施の形態においては、図２１に示されている装置初期設定画面ＰＩＣ２２のように、全ての設定項目を表示することが指示された場合には、全ての設定項目が表示されている。この際、既に設定済みの設定項目については、選択済みであることがわかるように表示されていてもよい。
【００５８】
以上に記載された実施の形態において、初期設定を行った装置を管理することも可能である。
例えば、図３０に示されているように、画像形成装置１１０のパラメータ管理部１２２は、記憶部１１１に記憶されている装置パラメータ１１４に、装置名欄１１４ｃを追加して、値の設定を行った装置を識別することができる装置識別情報（ここでは、装置名）を格納する。そして、図２４に示されている装置パラメータ設定コマンドに、値の設定を行った装置識別情報を追加することで、情報処理装置１５０に通知する。これにより、情報処理装置１５０の設定ツール１６１は、図２０に示されている装置初期設定画面ＰＩＣ２１において、自装置以外の他の装置で値が設定された設定項目を選択することができないようにすることができる。また、装置パラメータ更新コマンドにも装置識別情報を追加する。このようにすることで、情報処理装置１５０は、他の装置の表示入力部で既に設定された設定項目を選択して設定を行うことができなくなる。例えば、表示入力部がユーザ毎に割り当てられている場合等に、他人が設定した設定項目については、変更することができず、自分が設定した設定項目については、既に設定されていても変更することができるようになる。
なお、この場合には、例えば、図２８又は図２９に示されている装置パラメータ更新コマンドに自装置の装置名が含まれる。
【００５９】
以上に記載された実施の形態では、画像形成装置１１０として複合機を例にして説明したが、このような例に限定されない。本実施の形態における画像形成装置１１０は、プリンタ、コピー機又はファックス機であってもよい。
【００６０】
また、以上に記載された実施の形態では、画像形成装置１１０と情報処理装置１５０との接続手段として、ネットワーク１０１を利用しているが、このような例に限定されない。例えば、画像形成装置１１０と情報処理装置１５０とが、ＵＳＢ（Ｕｎｉｖｅｒｓａｌ  Ｓｅｒｉａｌ  Ｂｕｓ）を用いて直接接続されていてもよい。また、画像形成装置１１０と情報処理装置１５０とが、Ｂｌｕｅｔｏｏｔｈ等の無線通信を用いて、直接データを送受信してもよい。
【符号の説明】
【００６１】
１００  画像形成システム、  １１０  画像形成装置、  １１１  記憶部、  １１２  画面データ、  １１３  初期パラメータ、  １１４  装置パラメータ、  １１５  表示入力部、  １１６  通信部、  １１７  プリント部、  １１８  スキャン部、  １１９  ファックス部、  １２０  制御部、  １２１  画面制御部、  １２２  パラメータ管理部、  １２３  ジョブ制御部、  １２４  計時部、  １５０  情報処理装置、  １５１  記憶部、  １５２  画面データ、  １５３  表示設定、  １５４  装置パラメータ、  １５５  表示入力部、  １５６  通信部、  １６０  制御部、  １６１  設定ツール。
【図１】
0006450568.tif 000002
【図２】
0006450568.tif 000003
【図３】
0006450568.tif 000004
【図４】
0006450568.tif 000005
【図５】
0006450568.tif 000006
【図６】
0006450568.tif 000007
【図７】
0006450568.tif 000008
【図８】
0006450568.tif 000009
【図９】
0006450568.tif 000010
【図１０】
0006450568.tif 000011
【図１１】
0006450568.tif 000012
【図１２】
0006450568.tif 000013
【図１３】
0006450568.tif 000014
【図１４】
0006450568.tif 000015
【図１５】
0006450568.tif 000016
【図１６】
0006450568.tif 000017
【図１７】
0006450568.tif 000018
【図１８】
0006450568.tif 000019
【図１９】
0006450568.tif 000020
【図２０】
0006450568.tif 000021
【図２１】
0006450568.tif 000022
【図２２】
0006450568.tif 000023
【図２３】
0006450568.tif 000024
【図２４】
0006450568.tif 000025
【図２５】
0006450568.tif 000026
【図２６】
0006450568.tif 000027
【図２７】
0006450568.tif 000028
【図２８】
0006450568.tif 000029
【図２９】
0006450568.tif 000030
【図３０】
0006450568.tif 000031